(57)【要約】【課題】  製造工程を簡略化でき、また、組立前の部品の運搬、保管に大きなスペースを必要としない製造性、サービス性に優れた電気温水器を提供することを目的とする。【解決手段】  貯湯タンク２と、この貯湯タンク２内の水を加熱する発熱体５と、この発熱体５を前記貯湯タンク２に取り付けるための取付板６とを備え、前記取付板６は、前記発熱体５を挿通する挿通穴８を有する幅広の発熱体取付部７を有し、この発熱体取付部７の貫通穴８に前記発熱体５を挿通し、前記発熱体取付部７の外側から前記挿通穴８内に螺入する発熱体固定用ネジ１０により前記発熱体５の外周面を押圧することによって、前記発熱体５を前記取付板６に対して分離自在に固定した。【選択図】  図１
2006046835.tif 000002
【特許請求の範囲】
【請求項１】
貯湯タンクと、この貯湯タンク内の水を加熱する発熱体と、この発熱体を前記貯湯タンクに取り付けるための取付板とを備え、前記発熱体を前記取付板に対して分離自在に固定したことを特徴とする電気温水器。
【請求項２】
前記取付板は、前記発熱体を挿通する挿通穴を有する幅広の発熱体取付部を有し、この発熱体取付部の貫通穴に前記発熱体を挿通し、前記発熱体取付部の外側から前記挿通穴内に螺入する発熱体固定用ネジによって前記発熱体の外周面を押圧するとともに、複数個のパッキンによって前記発熱体取付部に前記発熱体を水密に固定したことを特徴とする請求項１の電気温水器。
【請求項３】
前記取付板の材質に、鋳物やプラスチックを使用したことを特徴とする請求項１の電気温水器。
【請求項４】
前記取付板に、貯湯タンクを異常圧力から保護するための缶体保護弁を取り付けたことを特徴とする請求項１の電気温水器。
【請求項５】
前記取付板に、貯湯タンク内に水の有無を検知するための水検知器を取り付けたことを特徴とする請求項１の電気温水器。
【発明の詳細な説明】
【技術分野】
【０００１】
本発明は、電気温水器に関するもので、特に、発熱体を貯湯タンクに取り付ける構造に関するものである。
【背景技術】
【０００２】
従来の電気温水器においては、発熱体を貯湯タンクに取り付けるための取付板に対して発熱体の金属パイプをロウ付けや溶接によって取付板に固定していた。（例えば、特許文献１参照）
【０００３】
【特許文献１】特開２００２−１３８１７号公報  （第２−４頁、図１）
【発明の開示】
【発明が解決しようとする課題】
【０００４】
従来の電気温水器は、発熱体を貯湯タンクに取り付けるための取付板に、ロウ付けや溶接によって発熱体を固定していた。しかし、発熱体と取付板をロウ付けや溶接する際、高温に熱せられるため、酸化皮膜が付着し、それを除去したり、溶接性を向上させるために、溶接補助材(フラックス)を使用するため、残部を除去する必要があった。また、高温により取付板が変形したり、残留熱応力が発生したりして、それらを修正する必要があった。また、発熱体が故障した場合には、発熱体と取付板の両方をセットで交換しなければならず、部品交換の費用が高額になり、サービス性が悪いという問題があった。さらに、組立前に、発熱体が取付板に取り付けられて１つの部品として取り扱われていたため、外形が大きくなり、この部品の運搬、保管に比較的大きなスペースを必要とするなどの問題も生じていた。
本発明は、上記従来の課題を除去するためになされたもので、製造工程を簡略化でき、また、組立前の部品の運搬、保管に大きなスペースを必要としない製造性、サービス性に優れた電気温水器を提供することを目的とする。
【課題を解決するための手段】
【０００５】
本発明に係る電気温水器は、貯湯タンクと、この貯湯タンク内の水を加熱する発熱体と、この発熱体を前記貯湯タンクに取り付けるための取付板とを備え、前記発熱体を前記取付板に対して分離自在に固定したものである。
【発明の効果】
【０００６】
本発明による電気温水器は、発熱体が取付板に対して分離自在に固定されているので、ロウ付けや溶接による固定方法と比較して製造工程を簡略化でき、また、組立前の部品の運搬、保管のスペースがあまり必要としなく、製造性、サービス性に優れた電気温水器を提供を提供できる。
【発明を実施するための最良の形態】
【０００７】
実施の形態１．
図１は本発明の実施の形態１を示す電気温水器の要部断面図、図２は本発明の実施の形態１を示す電気温水器の全体構成図、図３は発熱体の構成を示す断面図である。
図１〜図３において、電気温水器本体１内には貯湯タンク２が配設されており、この貯湯タンク２の下部には給水管３、上部には給湯管４が接続されている。前記貯湯タンク２の側面下部には発熱体５が取付板６によって取り付けらている。
前記取付板６には発熱体５を挿通する挿通穴８を有する幅広の発熱体取付部７が設けられており、この発熱体取付部７の挿通穴８に前記発熱体５が挿通され、複数個のパッキン９により前記発熱体５と取付板６との間の水密性が保持され、かつ、前記発熱体取付部７の外側からねじ込まれた発熱体固定用ネジ１０で前記発熱体５の外周面を押圧することで前記発熱体５を前記取付板６に固定している。
前記発熱体５を固定した前記取付板６はパッキン１１を介してタンク取付用ネジ１２により貯湯タンク２の側面下部に取り付けられる。なお、前記発熱体５は図３に示すように、発熱線５ａを絶縁粉末５ｂを介して金属パイプ５ｃ内に埋設したシーズヒータ等で構成される。
【０００８】
前記取付板６は、前記発熱体５との間をシールし易くするため、前記発熱体取付部７を幅広に形成し、前記発熱体５を保持し易くすると同時にシール面を大きく確保している。また、前記取付板６は、その材質を鋳物やプラスチックで構成することにより、安価で精度の高いものが製作できるようにしている。
【０００９】
次に上記実施の形態１において、前記取付板６に発熱体５を固定するときは、発熱体取付部７に設けた挿通穴８に発熱体５を挿入し、その間に複数個のパッキン９を介在させてシールを行ない、発熱体固定用ネジ１０でしっかりと取付板６に固定する。その際、パッキン９の使用数を２個以上にすることにより、１個のパッキン９のシール性能が劣化しても、早々に水漏れを起すことが無い。
次に、前記発熱体５が固定された取付板６を貯湯タンク２に取り付けるときは、図２に示すように、パッキン１１を介してタンク取付用ネジ１２により貯湯タンク２に取り付ける。
【００１０】
上記のような構成によれば、貯湯タンク２に取り付けるための取付板６に発熱体５をロウ付けや溶接することなく固定できる。このため、発熱体５と取付板６をロウ付けや溶接する際に発生する酸化皮膜を除去したり、溶接性を向上させるために使用する溶接補助材(フラックス)の残部を除去するといった作業が不要となるため、製造工程を大幅に簡略化できる。また、高温により取付板６が変形したり、残留熱応力が発生したりして、それらを修正する必要もなくなる。また、発熱体５が故障した場合は、発熱体５のみを交換して取付板６をそのまま使用できるので、部品交換が安価で容易に行える。さらに、組立前に、事前に取付板６にと発熱体５を固定しておく必要がないので、外形が大きくなり、部品の運搬、保管に大きなスペースを必要とするなどの問題もなくなる。
【００１１】
従って、上記実施の形態１によれば、発熱体５が取付板６に分離自在に固定したことにより、製造工程を簡略化でき、発熱体５が故障した場合は、発熱体５のみを交換して取付板６をそのまま使用でき、また、組立前に事前に取付板６にと発熱体５を固定しておく必要がないため、外形が大きくなることがなく、部品の運搬、保管のためのスペースもあまり必要としないなど、製造性、サービス性に優れた電気温水器を提供できる。
【００１２】
実施の形態２．
図４は本発明の実施の形態２を示す要部断面図である。
この実施の形態２では、取付板６に発熱体５と缶体保護弁１３を取り付けている。
図４において、前記缶体保護弁１３は、弁１４とこの弁１４を押さえるためのばね１５を有しており、貯湯タンク２内部の圧力が異常に上昇した時、貯湯タンク２の破損を防止するため、ばね１５より強い圧力が働いた時、弁１４が動作し、貯湯タンク２内部の圧力をばね１５の動作力以下の圧力に押え、貯湯タンク２を保護するものである。
【００１３】
この実施の形態２によれば、前記取付板６に缶体保護弁１１と発熱体５を取り付け、そのうち、発熱体５が容易に取付板６から分離できる構造のため、発熱体５が故障した場合は、発熱体５のみを交換して、缶体保護弁１３と取付板６はそのまま使用することができる。一方、缶体保護弁１３が故障した場合は、缶体保護弁１３と取付板６のみを交換して、発熱体５はそのまま使用することができる。さらに、缶体保護弁１３と発熱体５が別々に組み立てて、検査が行なえる。
【００１４】
実施の形態３.
図５は本発明の実施の形態３を示す要部断面図である。
この実施の形態３では、取付板６に発熱体５と水検知器１６を取り付けている。
図５において、前記水検知器１６は、電極棒１７を有しており、貯湯タンク２内の水の有無を検知するため、電極棒１７に微弱な電気を流し、水を介して貯湯タンク２との導通を確認し、この検知により、貯湯タンク２内に水の無い状態で発熱体５に通電して発熱体５が破損したりするのを未然に防止する。
【００１５】
この実施の形態３によれば、取付板６に水検知器１６と発熱体５を取り付け、そのうち、発熱体５が容易に取付板６から分離できる構造のため、前記発熱体５が故障した場合は、発熱体５のみを交換して水検知器１６と取付板６はそのまま使用することができる。一方、水検知器１６が故障した場合は、水検知器１６と取付板６のみを交換して発熱体５はそのまま使用することができる。さらに、水検知器１６と発熱体５が別々に組み立てて、検査が行なえる。
【図面の簡単な説明】
【００１６】
【図１】本発明の実施の形態１を示す電気温水器の要部断面図である。
【図２】本発明の実施の形態１を示す電気温水器の全体構成図である。
【図３】本発明の実施の形態１を示す発熱体の部分断面図である。
【図４】本発明の実施の形態２を示す電気温水器の要部断面図である。
【図５】本発明の実施の形態３を示す電気温水器の要部断面図である。
【符号の説明】
【００１７】
１  本体、２  貯湯タンク、５  発熱体、６  取付板、７  発熱体取付部、８  挿通穴、９  パッキン、１０  発熱体固定用ネジ、１１  パッキン、１２  タンク取付用ネジ、１３  缶体保護弁、１４  水検知器。
【図１】
2006046835.tif 000003
【図２】
2006046835.tif 000004
【図３】
2006046835.tif 000005
【図４】
2006046835.tif 000006
【図５】
2006046835.tif 000007